(57)【要約】【課題】引き戸自体に装置のフック部分が引っかかるスペースがなくても使用でき、使用が容易で、簡易な引き戸ロック装置を提供する。【解決手段】この実施形態の引き戸をロック使用とする人は、装置３のハンドル部２１を持って、閉じた引き戸３３と相手引き戸２９との隙間２７、あるいは閉じた引き戸と壁との隙間に、平面的な挿入部１３を挿入し、回動軸部１７を中心にして装置３全体を回動させることで、第一当接部１５を相手引き戸２９の先端面３１に当接させ、第二当接部１９を閉じた引き戸３３の後端面３５に当接させる。そして、ハンドル部２１の先端に設けられた係止部２３を、鴨居９に係止する。【選択図】図1
2008101383.tif 000002
【特許請求の範囲】
【請求項１】
引き戸を閉じた状態で簡易にロックする装置であって、閉じた引き戸と相手引き戸との隙間、あるいは閉じた引き戸と壁との隙間に挿入される平面的な挿入部と、この挿入部の後方に形成され後述する回動が行われた状態で前記相手引き戸の先端面に当接する第一当接部と、この第一当接部に直角な状態で連続し前記平面内で伸び前記隙間内で回動できる径を有する回動軸部と、この回動軸部に連続し前記平面内で直角に屈曲して前記閉じた引き戸の後端面に当接する第二当接部と、この第二当接部に連続し前記平面に対し直角に屈曲して伸びるハンドル部と、このハンドル部の先端に設けられ鴨居相当部分に係止する係止部と、を有することを特徴とする引き戸ロック装置。
【請求項２】
前記装置全体は１本の金属棒が屈曲されて形成され、前記挿入部は、この金属棒の一端が中心となる四角形の渦巻き状部分であり、前記第一当接部は、この四角形の渦巻き状部分の後ろの辺部であり、前記回動軸部、前記第二当接部、及び前記ハンドル部は、この後ろの辺部に連続する前記金属棒の部分であり、前記係止部は、金属棒の他端が屈曲された屈曲部分であることを特徴とする請求項１に記載の引き戸ロック装置。
【請求項３】
引き戸を閉じた状態で簡易にロックする装置であって、閉じた引き戸と相手引き戸との隙間、あるいは閉じた引き戸と壁との隙間に挿入されるＬ字部と、このＬ字部の前辺として形成され後述する回動が行われた状態で前記相手引き戸の先端面に当接する第一当接部と、前記Ｌ字部の側辺として形成され前記隙間内で回動できる径を有する回動軸部と、
この回動軸部に連続し前記Ｌ字部が存在する平面内で直角に屈曲して前記閉じた引き戸の後端面に当接する第二当接部と、この第二当接部に連続し前記Ｌ字部が存在する平面に対し直角に屈曲して伸びるハンドル部と、このハンドル部の先端に設けられ鴨居相当部分に係止する係止部と、を有することを特徴とする引き戸ロック装置。
【発明の詳細な説明】
【技術分野】
【０００１】
この発明は、引き戸を閉じた状態で簡易にロックする装置の構造に関する。
【背景技術】
【０００２】
ここでいう引き戸とは、戸が覆う開口面に平行にスライドさせて開閉させる戸のことであり、障子や襖のように複数枚が引き違いになっているもののみならず、1枚の戸からなる片引き戸を含む。また、敷居の上をスライドさせるもののみならず、上から吊ってスライドさせる吊り戸も含む。
【０００３】
このような引き戸をロックするための装置として、特許文献１には図５に示すように、雨戸をロックする装置が記載される。この装置は、閉じて突き合わされた左右の雨戸１０１、１０３の突合せ部分で、雨戸１０１、１０３の戸板１０４と縦枠１０５の間のスペースにフック部分１０７，１０９を引っ掛け、ロックを行うものである。
【０００４】
特許文献２には図６に示すように、陳列ケースなどのガラス戸をロックする装置が記載される。この装置は、ガラス戸１１１、１１３の中に配置した第一ブロック１１５に設けたベルト１１７を、閉じた２枚のガラス戸１１１、１１３の隙間から外へ出し、このベルト１１７に第二ブロック１１９を係止させロックするものである。
【特許文献１】実用新案登録3103234
【特許文献２】特開2000-204825
【発明の開示】
【発明が解決しようとする課題】
【０００５】
しかしながら、特許文献１の装置は、フック部分１０７，１０９が引っ掛かるため引き戸自体にスペース、すなわち戸板１０４と縦枠１０５との間のスペースがなければならず、そのようなスペースのない引き戸、例えば襖や障子には使用できない。また、特許文献２の装置は、引き戸の中と外に装置の一部を配置しなければならず、陳列ケースなどの小さなガラス戸には有効であるが、大きな引き戸には、使用しづらい。
【０００６】
また、特許文献１、２の装置は比較的に大掛かりであり、例えば室内に設けられる障子や襖を簡単にロックできて、乳幼児などが親の気が付かない間に障子や襖を開けて、危険な台所、あるいは階下への階段に通じる場所などへ進入することを防ぎ、未然に事故を防止する簡易な装置が求められる。
【０００７】
この発明は、以上の問題点を解決するために、引き戸自体にスペースがなくても使用でき、使用が容易で、簡易な引き戸ロック装置を提供することを目的とする。
【課題を解決するための手段】
【０００８】
以上の課題を解決するために、第一発明は、引き戸を閉じた状態で簡易にロックする装置であって、閉じた引き戸と相手引き戸との隙間、あるいは閉じた引き戸と壁との隙間に挿入される平面的な挿入部と、この挿入部の後方に形成され後述する回動が行われた状態で前記相手引き戸の先端面に当接する第一当接部と、この第一当接部に直角な状態で連続し前記平面内で伸び前記隙間内で回動できる径を有する回動軸部と、この回動軸部に連続し前記平面内で直角に屈曲して前記閉じた引き戸の後端面に当接する第二当接部と、この第二当接部に連続し前記平面に対し直角に屈曲して伸びるハンドル部と、このハンドル部の先端に設けられ鴨居相当部分に係止する係止部と、を有することを特徴とする引き戸ロック装置である。
第二発明は、更に、前記装置全体は１本の金属棒が屈曲されて形成され、前記挿入部は、この金属棒の一端が中心となる四角形の渦巻き状部分であり、前記第一当接部は、この四角形の渦巻き状部分の後ろの辺部であり、前記回動軸部、前記第二当接部、及び前記ハンドル部は、この後ろの辺部に連続する前記金属棒の部分であり、前記係止部は、金属棒の他端が屈曲された屈曲部分であることを特徴とする引き戸ロック装置である。
第三発明は、引き戸を閉じた状態で簡易にロックする装置であって、閉じた引き戸と相手引き戸との隙間、あるいは閉じた引き戸と壁との隙間に挿入されるＬ字部と、このＬ字部の前辺として形成され後述する回動が行われた状態で前記相手引き戸の先端面に当接する第一当接部と、前記Ｌ字部の側辺として形成され前記隙間内で回動できる径を有する回動軸部と、この回動軸部に連続し前記Ｌ字部が存在する平面内で直角に屈曲して前記閉じた引き戸の後端面に当接する第二当接部と、この第二当接部に連続し前記Ｌ字部が存在する平面に対し直角に屈曲して伸びるハンドル部と、このハンドル部の先端に設けられ鴨居相当部分に係止する係止部と、を有することを特徴とする引き戸ロック装置である。
【発明の効果】
【０００９】
第一、又は第二発明によれば、引き戸をロック使用とする人は、装置のハンドル部を持って、閉じた引き戸と相手引き戸との隙間、あるいは閉じた引き戸と壁との隙間に、平面的な挿入部を挿入し、回動軸部を中心にして装置全体を回動させることで、第一当接部を相手引き戸の先端面に当接させ、第二当接部を閉じた引き戸の後端面に当接させる。そして、ハンドル部の先端に設けられた係止部を、鴨居相当部分に係止する。
【００１０】
これにより、引き戸自体にスペース、すなわちフック部分が引っ掛かるためスペースがなくても、使用できる。また、襖や障子のような大きな引き戸にも、簡単に使用できる。そして、乳幼児などが親の気が付かない間に障子や襖を開けることを防止する簡易な装置を提供できる。
【００１１】
第二発明によれば、さらに、装置全体は１本の金属棒が屈曲されて形成され、装置の製造コストを抑えることができる。
第三発明によれば、引き戸をロック使用とする人は、装置のハンドル部を持って、閉じた引き戸と相手引き戸との隙間、あるいは閉じた引き戸と壁との隙間に、Ｌ字部を挿入し、回動軸部を中心にして装置全体を回動させることで、第一当接部を相手引き戸の先端面に当接させ、第二当接部を閉じた引き戸の後端面に当接させる。そして、ハンドル部の先端に設けられた係止部を、鴨居相当部分に係止する。これにより、第一発明と同様の効果を得られる。
【発明を実施するための最良の形態】
【００１２】
この発明の実施形態を、図１から図３に示す。
この実施形態は、２枚の襖１Ａ、１Ｂが引き違いになって構成される引き戸１を、閉じた状態で簡易にロックする装置３である。これらの襖１Ａ、１Ｂは、それぞれの下端部が敷居５の二つの溝に嵌合し、それぞれの上端部が鴨居９の二つの溝７に嵌合し、スライドして開閉がおこなわれる。
【００１３】
この引き戸ロック装置３は、全体が１本の金属棒１１を屈曲して形成される。装置３の下から順に、挿入部１３、第一当接部１５、回動軸部１７、第二当接部１９、ハンドル部２１、係止部２３となる。
【００１４】
下方に位置する挿入部１３は、この金属棒１１の一端２５が中心となる四角形の渦巻き状部分である。この挿入部１３は、閉じた引き戸２９（襖１Ａ）と相手引き戸３３（襖１Ｂ）との隙間２７に挿入される平面的な形状を有する。この四角形の渦巻き状部分の後ろの辺部は、第一当接部１５となり、後述する回動が行われた状態で、相手引き戸２９の先端面３１に当接する。
【００１５】
回動軸部１７は、第一当接部１５に直角な状態で連続し、挿入部１３の存在する平面内で伸び、襖２枚の隙間２７内で回動できる径を有する。
第二当接部１９は、回動軸部１７に連続し、挿入部１３の存在する平面内で直角に屈曲して、閉じた引き戸３３の後端面３５に当接する。
ハンドル部２１は、第二当接部１９に連続し、挿入部１３の存在する平面に対し直角に屈曲して、上方へ伸びる。
【００１６】
係止部２３は、ハンドル部２１の先端に逆Ｕ字状に屈曲して設けられ、この逆Ｕ字状の先端が、鴨居９に取り付けられた被係止円筒具３７に挿入されて係止が行われる。被係止円筒具３７は、下端に水平部３９（図２（Ｂ）参照）が形成され、この水平部３９の両端に開口した取付孔４１に、ネジまたは画鋲を挿入して、鴨居９の上面９Ａに固定する。あるいは、水平部３９の下面に貼り付けた両面テープにより、固定しても良い。
【００１７】
「実施形態の作用」
この実施形態の引き戸をロックしようとする人は、装置３のハンドル部２１を持って、閉じた引き戸３３と相手引き戸２９との隙間２７に、平面的な挿入部１３を挿入し（図１下方の装置の姿勢を参照）、回動軸部１７を中心にして装置３全体を回動させる（図１矢印２１Ａ）ことで、第一当接部１５を相手引き戸２９の先端面３１に当接させ、第二当接部１９を閉じた引き戸３３の後端面３５に当接させる。そして、ハンドル部２１の先端に設けられた係止部２３を、鴨居９の被係止円筒具３７に挿入し係止する。
【００１８】
閉じた引き戸３３を開けようとする力４３は、閉じた引き戸３３の後端面３５から第二当接部１９に受け止められ、回動軸部１７、及び第一当接部を介して相手引き戸２９の先端面３１へ伝えられる。よって、回動軸部１７を引っ張る力となる。この引張り力に耐える強度を回動軸部１７が有していれば良く、装置３のハンドル部２１や係止部２３へは大きな力は、伝わらない。このため、係止部２３や被係止円筒具３７は、装置３が脱落しない程度に係止を行うに十分な強度さえあれば良い。
【００１９】
「実施形態の効果」  
この実施形態によれば、前記特許文献１のように引き戸自体にスペース、すなわちフック部分が引っ掛かるためスペースがなくても、使用できる。また特許文献２のように陳列ケースなどの小さなガラス戸でなく、襖や障子のような大きな引き戸にも、簡単に使用できる。そして、乳幼児などが親の気が付かない間に障子や襖を開けることを防止する簡易な装置３を提供できる。
【００２０】
また、装置３全体は１本の金属棒１１が屈曲されて形成され、装置３の製造コストを抑えることができる。
また、挿入部１３は平面的な形状を有するので、閉じた引き戸３３を開けようとする大きな力が、第一当接部１５に与えられても、この第一当接部１５は平面的な挿入部１３の後方に形成されているので、挿入部１３がつぶれにくいことから、第一当接部１５は直線的な線状に形成されている場合（図４（Ｂ）参照）に比べ、変形しにくい。
【００２１】
「他の実施形態」
（１）以上の実施形態では、装置３全体は１本の金属棒１１が屈曲されて形成されるものであったが、他の実施形態ではプラスチック製の棒材で形成しても良い。また、図４（Ａ）に示すように、一部を面材で形成してしてもよい。すなわち、挿入部１３やや第二当接部１９のように、面的に接する部分を、金属製やプラスチック製の面材で形成しても良い。
【００２２】
（２）以上の実施形態では、係止部２３は、逆Ｕ字状の先端が、鴨居９の上面に取り付けられた被係止円筒具３７に挿入されて係止が行われるものであったが、他の実施形態では図４（Ａ）に示すように、逆Ｕ字状の先端が、鴨居９の側面に取り付けられたリング状の被係止具４５に挿入されて係止が行われるものであってもよい。
【００２３】
また、逆Ｕ字状の先端を鋭利な形状にして、鴨居９の上面に刺して係止を行っても良い。係止部２３は、装置３が脱落しない程度に係止を行うに十分な強度さえあれば良いので、特定の形状構造に限らない。
（３）以上の実施形態では、２枚の戸が引き違いになっている引き戸を例にしているので、挿入部１３は、閉じた引き戸３３と相手引き戸２９との隙間２７に挿入されるものであったが、他の実施形態では、1枚の戸からなる片引き戸であっても実施でき、よって挿入部１３は、閉じた引き戸３３と、相手引き戸２９の先端面３１に相当する形状を有する壁との隙間に挿入されるものでもよい。
【００２４】
（４）以上の実施形態では、挿入部１３は平面的な形状を有し、このため、挿入部１３の後方に形成されている第一当接部１５は、変形しにくいが、他の実施形態では図４（Ｂ）に示すように、第一当接部１５を直線的な線状に形成しても、材料の強度を向上させれば、かまわない。
【００２５】
この場合には、閉じた引き戸３３と相手引き戸２９との隙間２７、あるいは閉じた引き戸と壁との隙間に挿入されるＬ字部の前辺として第一当接部１５が形成される。また、このＬ字部の側辺として回動軸部１７が形成される。
【００２６】
（５）以上の実施形態では、係止部２３は鴨居９に係止されるものであったが、他の実施形態では、鴨居に相当するレールや、鴨居の上方に存在する壁部分など、すなわち鴨居相当部分に係止するものとできる。
【図面の簡単な説明】
【００２７】
【図１】この発明の一実施形態に係る引き戸ロック装置の使用状態を一部を切り欠いて示す斜視図である。
【図２】（Ａ）は図１の縦断面図、（Ｂ）は図１の係止部に用いられる被係止具の拡大斜視図である。
【図３】図１の平面図である。
【図４】（Ａ）は他の実施形態にかかる装置を示す斜視図、（Ｂ）は更に他の実施形態にかかる装置を示す斜視図である。
【図５】（Ａ）は特許文献１に係る装置の使用状態を示す正面図、（Ｂ）は（Ａ）の水平断面図である。
【図６】（Ａ）は特許文献２に係る装置の使用状態を示す斜視図、（Ｂ）は（Ａ）の要部の水平断面図である。
【符号の説明】
【００２８】
１…襖、３…装置、５…敷居、７…溝、９…鴨居、１１…金属棒、１３…挿入部、１５…第一当接部、１７…回動軸部、１９…第二当接部、２１…ハンドル部、２３…係止部、２５…一端、２７…隙間、２９…相手引き戸、３１…先端面、３３…閉じた引き戸、３５…後端面、３７…被係止円筒具、３９…水平部、４１…取付孔、４３・・引き戸３３を開けようとする力、４５・・リング状の被係止具。
【図１】
2008101383.tif 000003
【図２】
2008101383.tif 000004
【図３】
2008101383.tif 000005
【図４】
2008101383.tif 000006
【図５】
2008101383.tif 000007
【図６】
2008101383.tif 000008